(57)【要約】【課題】両面印刷時における章分けプリント機能の設定とタブ紙等の挿入紙の挿入設定とを、ユーザの作業性を高めつつしかも誤り無く行うことが可能な、画像形成装置を制御する制御プログラムおよび制御方法、並びに画像形成装置を提供する。【解決手段】両面印刷時に文章中の「章」「節」等の一区切りにおける先頭ページを表面に印字する章分けプリント機能を設定するために文章中の一区切りにおける先頭ページをユーザが指定可能な章分けプリント機能設定部１１１，１２１と、章分けプリント機能設定部１１１，１２１において指定されたページに対してタブ紙の挿入をユーザが指定可能な挿入設定部１１２，１２２とがユーザに提供される。【選択図】図８
2008186184.tif 000002
【特許請求の範囲】
【請求項１】
画像形成装置を制御する制御プログラムであって、
両面印刷時に文章中の一区切りにおける先頭ページを表面に印字する章分けプリント機能を設定するために前記文章中の一区切りにおける先頭ページをユーザが指定可能な章分けプリント機能設定部と、前記章分けプリント機能設定部において指定されたページに対して挿入紙の挿入をユーザが指定可能な挿入設定部と、をユーザに提供する手順１）と、
前記プリント機能設定部におけるページの指定及び前記挿入設定部における挿入紙の挿入の指定を受け付ける手順２）と、
をコンピュータに実行させる制御プログラム。
【請求項２】
画像形成装置を制御する制御プログラムであって、
複数ページからなる文書を印刷媒体の両面に印刷する際に、前記印刷媒体の表面に印字すべきページをユーザが指定可能な第１設定部と、前記第１設定部において指定された前記ページに対して挿入紙の挿入をユーザが指定可能な第２設定部と、をユーザに提供する手順１）と、
前記第１設定部におけるページの指定及び前記第２設定部における挿入紙の挿入の指定を受け付ける手順２）と、
をコンピュータに実行させる制御プログラム。
【請求項３】
前記挿入紙はタブ紙であることを特徴とする請求項１又は２に記載の制御プログラム。
【請求項４】
前記挿入紙は複数種類の挿入紙の中からユーザにより選択されたものであることを特徴とする請求項１〜３の何れか１つに記載の制御プログラム。
【請求項５】
前記章分けプリント機能設定部或いは前記第１設定部は、両面印刷時に文章中の第１の一区切りにおける先頭ページを表面に印字する第１章分けプリント機能を設定するために前記文章中の第１の一区切りにおける先頭ページをユーザが指定可能な第１章分けプリント機能設定部と、両面印刷時に文章中の前記第１の一区切りよりも細かい第２の一区切りにおける先頭ページを表面に印字する第２章分けプリント機能を設定するために前記文章中の第２の一区切りにおける先頭ページをユーザが指定可能な第２章分けプリント機能設定部と、を有し、
前記挿入設定部或いは前記第２設定部は、前記第１章分けプリント機能設定部或いは前記第１設定部において指定されたページに対して挿入紙の挿入をユーザが指定可能な第１挿入設定部と、前記第２章分けプリント機能設定部において指定されたページに対して挿入紙の挿入をユーザが指定可能な第２挿入設定部と、を有することを特徴とする請求項１〜４の何れか１つに記載の制御プログラム。
【請求項６】
前記第１の一区切りは章であり、前記第２の一区切りは節であることを特徴とする請求項５に記載の制御プログラム。
【請求項７】
請求項１〜６の何れか１つに記載の制御プログラムを記録したコンピュータ読み取り可能な記録媒体。
【請求項８】
画像形成装置を制御する制御方法であって、
両面印刷時に文章中の一区切りにおける先頭ページを表面に印字する章分けプリント機能を設定するために前記文章中の一区切りにおける先頭ページをユーザが指定可能な章分けプリント機能設定部と、前記章分けプリント機能設定部において指定されたページに対して挿入紙の挿入をユーザが指定可能な挿入設定部と、をユーザに提供するステップ１）と、
前記プリント機能設定部におけるページの指定及び前記挿入設定部における挿入紙の挿入の指定を受け付けるステップ２）と、
を有することを特徴とする方法。
【請求項９】
画像形成装置を制御する制御方法であって、
複数ページからなる文書を印刷媒体の両面に印刷する際に、前記印刷媒体の表面に印字すべきページをユーザが指定可能な第１設定部と、前記第１設定部において指定された前記ページに対して挿入紙の挿入をユーザが指定可能な第２設定部と、をユーザに提供するステップ１）と、
前記プリント機能設定部におけるページの指定及び前記挿入設定部における挿入紙の挿入の指定を受け付けるステップ２）と、
を有することを特徴とする方法。
【請求項１０】
画像形成制御装置であって、
両面印刷時に文章中の一区切りにおける先頭ページを表面に印字する章分けプリント機能を設定するために前記文章中の一区切りにおける先頭ページをユーザが指定可能な章分けプリント機能設定部と、
前記章分けプリント機能設定部において指定されたページに対して挿入紙の挿入をユーザが指定可能な挿入設定部と、
を有することを特徴とする画像形成制御装置。
【請求項１１】
画像形成制御装置であって、
複数ページからなる文書を印刷媒体の両面に印刷する際に、前記印刷媒体の表面に印字すべきページをユーザが指定可能な第１設定部と、
前記第１設定部において指定された前記ページに対して挿入紙の挿入をユーザが指定可能な第２設定部と、
を有することを特徴とする画像形成制御装置。
【発明の詳細な説明】
【技術分野】
【０００１】
本発明は、印刷物へ挿入紙を挿入する機能を有する画像形成装置を制御する制御プログラムおよび制御方法、並びに画像形成制御装置に関する。
【背景技術】
【０００２】
平坦な矩形状の本体と、当該本体の一辺の所定位置に設けられる突出したタブとを備えたタブ紙をページ間に挿入しながら印刷物を作成することが可能な複写機、プリンタなどの画像形成装置が存在する（特許文献１参照）。この技術において、ユーザは、タブ紙が挿入されるページを指定することができる。
【０００３】
一方、両面印刷時に文章中の「章」における先頭ページを表面に印字する章分けプリント機能を設定する技術が存在する。この技術において、ユーザは、文章中の「章」における先頭ページを指定することにより、章分けプリント機能を発揮させることができる。
【０００４】
しかしながら、特許文献１に記載の技術においては、タブ紙等の挿入紙は、ユーザが指定したページに対して挿入されるだけであり、両面印刷時における章分けプリント機能については考慮されていない。
【０００５】
したがって、特許文献１に記載の技術に対して章分けプリント機能の設定を導入する場合には、ユーザは、タブ紙等の挿入紙が挿入されるページを指定する一方で、両面印刷時における章分けプリント機能を設定するために別途「章」における先頭ページを指定する必要がある。この場合、タブ紙等の挿入紙は「章」の変わり目等の文章中の区切れに挿入されることが実際上多いにも拘わらず、タブ紙等の挿入紙の挿入ページの指定と、「章」における先頭ページの指定とを別々に正確に行わなければならない。このため、作業性が悪いばかりか、設定を誤ってユーザが予期しない印刷物が出来上がる虞もあるという問題がある。
【特許文献１】特開２００５−１８２７５７号公報
【発明の開示】
【発明が解決しようとする課題】
【０００６】
本発明は上記従来技術の有する問題点に鑑みてなされたものであり、本発明の目的は、両面印刷時における章分けプリント機能の設定とタブ紙等の挿入紙の挿入設定とを、ユーザの作業性を高めつつしかも誤り無く行うことが可能な、画像形成装置を制御する制御プログラムおよび制御方法、並びに画像形成装置を提供することにある。
【課題を解決するための手段】
【０００７】
本発明の上記目的は、下記の手段によって達成される。
【０００８】
（１）画像形成装置を制御する制御プログラムであって、両面印刷時に文章中の一区切りにおける先頭ページを表面に印字する章分けプリント機能を設定するために前記文章中の一区切りにおける先頭ページをユーザが指定可能な章分けプリント機能設定部と、前記章分けプリント機能設定部において指定されたページに対して挿入紙の挿入をユーザが指定可能な挿入設定部と、をユーザに提供する手順１）と、前記プリント機能設定部におけるページの指定及び前記挿入設定部における挿入紙の挿入の指定を受け付ける手順２）と、をコンピュータに実行させる制御プログラム。
【０００９】
（２）画像形成装置を制御する制御プログラムであって、複数ページからなる文書を印刷媒体の両面に印刷する際に、前記印刷媒体の表面に印字すべきページをユーザが指定可能な第１設定部と、前記第１設定部において指定された前記ページに対して挿入紙の挿入をユーザが指定可能な第２設定部と、をユーザに提供する手順１）と、前記第１設定部におけるページの指定及び前記第２設定部における挿入紙の挿入の指定を受け付ける手順２）と、をコンピュータに実行させる制御プログラム。
【００１０】
（３）前記挿入紙はタブ紙であることを特徴とする上記（１）または（２）に記載の制御プログラム。
【００１１】
（４）前記挿入紙は複数種類の挿入紙の中からユーザにより選択されたものであることを特徴とする上記（１）〜（３）に記載の制御プログラム。
【００１２】
（５）前記章分けプリント機能設定部或いは前記第１設定部は、両面印刷時に文章中の第１の一区切りにおける先頭ページを表面に印字する第１章分けプリント機能を設定するために前記文章中の第１の一区切りにおける先頭ページをユーザが指定可能な第１章分けプリント機能設定部と、両面印刷時に文章中の前記第１の一区切りよりも細かい第２の一区切りにおける先頭ページを表面に印字する第２章分けプリント機能を設定するために前記文章中の第２の一区切りにおける先頭ページをユーザが指定可能な第２章分けプリント機能設定部と、を有し、前記挿入設定部或いは前記第２設定部は、前記第１章分けプリント機能設定部或いは前記第１設定部において指定されたページに対して挿入紙の挿入をユーザが指定可能な第１挿入設定部と、前記第２章分けプリント機能設定部において指定されたページに対して挿入紙の挿入をユーザが指定可能な第２挿入設定部と、を有することを特徴とする上記（１）〜（４）の何れか１つに記載の制御プログラム。
【００１３】
（６）前記第１の一区切りは章であり、前記第２の一区切りは節であることを特徴とする上記（５）に記載の制御プログラム。
【００１４】
（７）上記（１）〜（６）の何れか１つに記載の制御プログラムを記録したコンピュータ読み取り可能な記録媒体。
【００１５】
（８）画像形成装置を制御する制御方法であって、両面印刷時に文章中の一区切りにおける先頭ページを表面に印字する章分けプリント機能を設定するために前記文章中の一区切りにおける先頭ページをユーザが指定可能な章分けプリント機能設定部と、前記章分けプリント機能設定部において指定されたページに対して挿入紙の挿入をユーザが指定可能な挿入設定部と、をユーザに提供するステップ１）と、前記プリント機能設定部におけるページの指定及び前記挿入設定部における挿入紙の挿入の指定を受け付けるステップ２）と、を有することを特徴とする方法。
【００１６】
（９）画像形成装置を制御する制御方法であって、複数ページからなる文書を印刷媒体の両面に印刷する際に、前記印刷媒体の表面に印字すべきページをユーザが指定可能な第１設定部と、前記第１設定部において指定された前記ページに対して挿入紙の挿入をユーザが指定可能な第２設定部と、をユーザに提供するステップ１）と、前記プリント機能設定部におけるページの指定及び前記挿入設定部における挿入紙の挿入の指定を受け付けるステップ２）と、を有することを特徴とする方法。
【００１７】
（１０）画像形成制御装置であって、両面印刷時に文章中の一区切りにおける先頭ページを表面に印字する章分けプリント機能を設定するために前記文章中の一区切りにおける先頭ページをユーザが指定可能な章分けプリント機能設定部と、前記章分けプリント機能設定部において指定されたページに対して挿入紙の挿入をユーザが指定可能な挿入設定部と、を有することを特徴とする画像形成制御装置。
【００１８】
（１１）画像形成制御装置であって、複数ページからなる文書を印刷媒体の両面に印刷する際に、前記印刷媒体の表面に印字すべきページをユーザが指定可能な第１設定部と、前記第１設定部において指定された前記ページに対して挿入紙の挿入をユーザが指定可能な第２設定部と、を有することを特徴とする画像形成制御装置。
【発明の効果】
【００１９】
本発明の一側面によると、両面印刷時に文章中の一区切りにおける先頭ページを表面に印字する章分けプリント機能を設定するために前記文章中の一区切りにおける先頭ページをユーザが指定可能な章分けプリント機能設定部と、前記章分けプリント機能設定部において指定されたページに対して挿入紙の挿入をユーザが指定可能な挿入設定部とがユーザに提供される。
【００２０】
したがって、ユーザは、文章中の「章」「節」等の一区切りにおける先頭ページの指定と、必要に応じてそのページへタブ紙等の挿入紙を挿入する指定とを連動させて行うことができる。これにより、両面印刷時における章分けプリント機能の設定とタブ紙等の挿入紙の挿入設定とを、ユーザの作業性を高めつつしかも誤り無く行うことが可能となる。
【００２１】
又、本発明の別の側面によると、複数ページからなる文書を印刷媒体の両面に印刷する際に、前記印刷媒体の表面に印字すべきページをユーザが指定可能な第１設定部と、前記第１設定部において指定された前記ページに対して挿入紙の挿入をユーザが指定可能な第２設定部と、がユーザに提供される。
【００２２】
したがって、ユーザは、印刷媒体の表面に印字すべきページの指定と、必要に応じてそのページへタブ紙等の挿入紙を挿入する指定とを連動させて行うことができる。これにより、ページの指定を重複して行う必要がなくなり、ユーザの作業性を高めつつしかも誤り無くページの指定を行うことが可能となる。
【発明を実施するための最良の形態】
【００２３】
以下、本発明の実施の形態を、図面を参照して詳細に説明する。
【００２４】
図１は、本発明の一実施形態にかかるネットワークシステムの全体構成を示すブロック図である。
【００２５】
本実施形態にかかるネットワークシステムは、文書の印刷の指示を行う印刷指示装置としてのＰＣ１と、ＰＣ１の印刷指示に基づいて印刷を行う印刷システム４とを備え、これらはネットワーク５により相互に通信可能に接続されている。なお、ＰＣ１と印刷システム４とは、ネットワーク５を介することなく直接機器間で接続（ローカル接続）されていてもよい。
【００２６】
印刷システム４は、互いにローカル接続されたプリンタコントローラ２と画像形成装置としてのプリンタ３とから成る。このローカル接続には、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２.１１、ＨｏｍｅＲＦ、ＩｒＤＡ等の無線通信インタフェース等の各種ローカル接続インタフェースが用いられる。ただし、プリンタコントローラ２とプリンタ３とは、ネットワーク５により接続されてもよい。
【００２７】
図２は、図１に示されるＰＣ１の構成を示すブロック図である。
【００２８】
ＰＣ１は、ＣＰＵ１１、ＲＯＭ１２、ＲＡＭ１３、ハードディスク１４、ディスプレイ１５、入力装置１６およびネットワークインタフェース１７を備えており、これらは信号をやり取りするためのバス１８を介して相互に接続されている。
【００２９】
ＣＰＵ１１は、プログラムにしたがって、上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。
【００３０】
ここで、ハードディスク１４には、文書ファイルを作成するためのアプリケーションと、文書ファイルを印刷システム４が解釈可能なページ記述言語（ＰＤＬ：Ｐａｇｅ  Ｄｅｓｃｒｉｐｔｉｏｎ  Ｌａｎｇｕａｇｅ）で記述されたＰＤＬデータに変換するためのプリンタドライバとがインストールされている。プリンタドライバは、アプリケーションを使用して作成した文書ファイルの印刷指示の他、印刷出力条件の設定やタブ紙に関する設定を行う機能を有する。プリンタドライバには、これらの設定を行うためのプログラムが含まれる。
【００３１】
ディスプレイ１５は、ＬＣＤ、ＣＲＴディスプレイ等であり、各種の情報の表示に使用される。入力装置１６は、マウス等のポインティングデバイスやキーボードを含み、各種情報の入力に使用される。
【００３２】
ネットワークインタフェース１７は、ネットワーク５を介して他の機器と通信するためのインタフェースであり、イーサネット（登録商標）、トークンリング、ＦＤＤＩ等の規格が用いられる。
【００３３】
上述の如く構成されたＰＣ１は、後述の如くプリンタドライバを介してユーザから受け付けたプリント設定内容に従ってＰＤＬデータを作成し、このＰＤＬデータを印刷システム４に送信する。これにより、ＰＣ１は画像形成装置としてのプリンタ３における画像形成を制御する画像形成制御装置として動作する。
【００３４】
図３は、図１に示される印刷システム４のプリンタコントローラ２の構成を示すブロック図である。
【００３５】
プリンタコントローラ２は、ＣＰＵ２１、ＲＯＭ２２、ＲＡＭ２３、ハードディスク２４、プリンタインターフェース２５、およびネットワークインタフェース２６を備えており、これらは信号をやり取りするためのバス２７を介して相互に接続されている。なお、プリンタコントローラ２の上記各部のうち、ＰＣ１の上記各部と同様の機能を有する部分については、説明の重複を避けるためその説明を省略する。
【００３６】
ＲＯＭ２２またはハードディスク２４には、ＰＣ１から受信したＰＤＬデータを翻訳しビットマップ形式の画像データであるビットマップデータに展開するためのラスタライズ処理のプログラム、および受信したＰＤＬデータの処理方法を解析するための画像データ処理のプログラムが格納されている。また、ハードディスク２４には、受信したＰＤＬデータおよびビットマップデータが保存され得る。
【００３７】
プリンタインターフェース２５は、ローカル接続されたプリンタ３と通信するためのインタフェースである。
【００３８】
図４は、図１に示される印刷システム４のプリンタ３の構成を示すブロック図である。プリンタ３は、ＣＰＵ３１、ＲＯＭ３２、ＲＡＭ３３、操作パネル部３４、印刷部３５、およびコントローラインターフェース３６を備えており、これらは信号をやり取りするためのバス３７を介して相互に接続されている。なお、プリンタ３の上記各部のうち、ＰＣ１の上記各部と同様の機能を有する部分については、説明の重複を避けるためその説明を省略する。
【００３９】
ＲＯＭ３２には、プリンタコントローラ２から受信したビットマップデータを含む印刷データに基づいて行われる印刷処理のプログラムが格納されている。
【００４０】
操作パネル部３４は、タッチパネル、テンキー、スタートボタン、ストップボタン等を備えており、各種情報の表示および各種指示の入力に使用される。
【００４１】
印刷部３５は、電子写真式プロセス等の周知の作像プロセスを用いて、プリンタコントローラ２から受信したビットマップデータが示す画像を用紙等の記録媒体に印刷する。コントローラインターフェース３６は、ローカル接続されたプリンタコントローラ２と通信するためのインタフェースである。
【００４２】
図５は、印刷部３５の構成を模式的に示す図である。
【００４３】
印刷部３５は、用紙等の記録媒体やタブ紙等の挿入紙を供給する給紙ユニット５０、記録媒体に画像を形成する画像形成ユニット４０、および用紙やタブ紙が排出される排紙ユニット６０を有している。また、印刷部３５は、用紙の表裏を反転させるための反転機構部７０を備えている。
【００４４】
印刷部３５の画像形成ユニット４０は、矢印方向に回転する感光体ドラム４１、帯電装置４２、露光装置４３、現像装置４４、中間転写ベルト４５、清掃装置４６、および定着装置４７を有している。感光体ドラム４１の表面が帯電装置４２により一様に帯電された後、露光装置４３よりレーザを照射することにより、感光体ドラム４１の表面に静電潜像が作成される。静電潜像は感光体ドラム４１の回転に伴い、トナーが感光体ドラム４１上の静電潜像に付着して静電潜像が顕像化される。現像装置４４は、シアン（Ｃ）、マゼンタ（Ｍ）、イエロー（Ｙ）、ブラック（Ｋ）の各色の現像ローラ４８を有しており、顕像化された各色のトナー画像は、転写部４９まで搬送されて順次中間転写ベルト４５上に転移されて重ね合わされ、重ね合わされたカラーの画像が、給紙ユニット５０から搬送されてきた用紙に転写される。用紙上のトナー画像は、定着装置４７で定着されて、排紙ユニット６０に排出される。
【００４５】
給紙ユニット５０は、複数の給紙トレイ５１〜５４を備えている。給紙トレイ５４は手差し給紙トレイである。一方、排紙ユニット６０は、複数の排紙トレイ６１〜６４を備えている。排紙ユニット６０は、搬送されてきた用紙に対してパンチ穴開け処理、ステープル綴じ処理等のフィニッシング処理を施す後処理部を備えていてもよい。
【００４６】
図６は、本実施形態で使用されるタブ紙の例を示す図であり、（Ａ）は３タブのタブ紙５００、（Ｂ）は５タブのタブ紙６００を示す。タブ紙はインデックス紙とも呼ばれる。図６（Ａ）に示すように、タブ紙５００は、３枚の構成要素としてのタブ紙５１１〜５１３からなる１セットのタブ紙であり、３タブと称される。タブ紙５１１〜５１３は、それぞれ矩形状の本体と、当該本体の一辺の所定位置に設けられる突出したタブ５２１〜５２３とを備えている。また、図６（Ｂ）に示すように、タブ紙６００は、５枚の構成要素としてのタブ紙６１１〜６１５からなる１セットのタブ紙であり、５タブと称される。タブ紙６１１〜６１５は、それぞれ矩形状の本体と、当該本体の一辺の所定位置に設けられる突出したタブ６２１〜６２５とを備えている。
【００４７】
図６に示されるタブ紙の並び順は正順と呼ばれ、タブが本体の右側に位置されたときに上層のタブが下層のタブよりも図６の上側に位置するように並べられる。３タブのタブ紙５００の場合、タブ５２１〜５２３は、本体の一辺の上部から順に３段階にてそれぞれ下降した位置に設けられている。ここで、タブ５２１の位置は１／３、タブ５２２の位置は２／３、タブ５２３の位置は３／３、と称される。また、５タブのタブ紙６００の場合、タブ６２１〜５２５は、本体の一辺の上部から順に５段階にてそれぞれ下降した位置に設けられている。ここで、タブ６２１の位置は１／５、タブ６２２の位置は２／５、タブ６２３の位置は３／５、タブ６２４の位置は４／５、タブ６２５の位置は５／５、と称される。タブ紙５００，６００は、通常複数セット分重ねられて所定の給紙トレイにセットされる。
【００４８】
次に、本実施形態におけるネットワークシステムの動作について説明する。
【００４９】
図７は、ＰＣ１における処理の手順を示すフローチャートである。なお、図７のフローチャートにより示されるアルゴリズムは、ＰＣ１のハードディスク１４等の記憶部にプログラムとして記憶されており、ＣＰＵ１１によって実行される。
【００５０】
前提として、ＰＣ１にて印刷しようとする文書ファイルが作成される。文書ファイルはＰＣ１にインストールされたアプリケーションにより作成される。
【００５１】
文書ファイルの印刷処理を行う際、ユーザの操作に基づいて、アプリケーションの印刷設定ダイアローグを介して、プリンタドライバが起動される（Ｓ１０１）。
【００５２】
続いて、プリンタドライバによって表示される印刷設定画面において、例えば選択用タブ１０１をクリックすることにより、章分けプリント機能およびタブ紙挿入機能に関する設定の開始要求が受け付けられ、設定画面がディスプレイ１５に表示される（Ｓ１０２）。ここで、章分けプリント機能とは、両面印刷時に文書ファイルに含まれる文章中の一区切りにおける先頭ページを表面に印字する機能をいい、一区切りとしては例えば「章」および／または「節」が挙げられる。
【００５３】
図８は、設定画面１００の一例を示す図である。
【００５４】
設定画面１００は、文章中の第１の一区切りである「章」に関する設定を行うための章設定部１１０と、文章中の「章」よりも細かい第２の一区切りである「節」に関する設定を行うための節設定部１２０とを有している。
【００５５】
章設定部１１０は、両面印刷時に文章中の「章」における先頭ページを表面に印字する第１章分けプリント機能を設定するために文章中の「章」における先頭ページをユーザが指定可能な第１章分けプリント機能設定部１１１を含み、節設定部１２０は、両面印刷時に文章中の「節」における先頭ページを表面に印字する第２章分けプリント機能を設定するために文章中の「節」における先頭ページをユーザが指定可能な第２章分けプリント機能設定部１２１を含んでいる。即ち、第１章分けプリント機能設定部１１１及び第２章分けプリント機能設定部１２１により、ユーザは複数ページからなる文書を両面印刷する場合に、記録媒体の表面に印刷すべきページを指定できる。
【００５６】
また、章設定部１１０は、第１章分けプリント機能設定部１１１において指定されたページに対してタブ紙の挿入をユーザが指定可能な第１挿入設定部１１２を含み、節設定部１２０は、第２章分けプリント機能設定部１２１において指定されたページに対してタブ紙の挿入をユーザが指定可能な第２挿入設定部１２２を含んでいる。即ち、第１挿入設定部１１２及び第２挿入設定部１２２においては、タブ紙を挿入すべき位置が第１章分けプリント機能設定部１１１及び第２章分けプリント機能設定部１２１により指定されたページ位置とされるため、ユーザはタブ紙の挿入位置を再度指定することが不要となる。ここにおけるページとは、通常の印刷対象となる文書のページをいい、タブ紙を含まない概念である。なお、本実施形態では、タブ紙は指定されたページの前に挿入される。
【００５７】
第１挿入設定部１１２および第２挿入設定部１２２は、それぞれタブ紙の種類の複数の選択肢を表示する。タブ紙の種類としては、図６に示した３タブ、５タブに限定されるものではなく、例えば３タブ、７タブ、１０タブ等の異なる枚数の構成要素からなるタブ紙、あるいは色の異なるタブ紙などが含まれてもよい。なお、タブ紙に加えてあるいはタブ紙の代わりに、印刷物に挿入される挿入紙として、普通紙（色紙を含む）、厚紙、薄紙などの各種のシートを選択できるように構成されてもよい。
【００５８】
すなわち、第１挿入設定部１１２と第２挿入設定部１２２とにおいて、それぞれ種類が異なる挿入紙の挿入指定が可能である。図８の例では、それぞれ種類が異なるタブ紙（「Ｔａｂ  Ａ」および「Ｔａｂ  Ｂ」）の挿入指定が行われていることを示しており、「Ｔａｂ  Ａ」は例えば３タブであり、「Ｔａｂ  Ｂ」は例えば５タブである。なお、種類が異なる挿入紙とは、例えば３タブと５タブ等のようにタブ紙という部類の中で種類が異なる場合と、例えばタブ紙と薄紙等のように部類自体が異なる場合との両方を含む。
【００５９】
さらには、第１挿入設定部１１２または第２挿入設定部１２２において「Ｏｆｆ」（図９参照）と指定することにより、タブ紙を挿入しない指定が行われ得る。この場合、章分けプリント機能のみが設定されることになる。
【００６０】
また、章設定部１１０は、「章」の変わり目に挿入されるタブ紙（以下、章用タブ紙ともいう）におけるタブに印刷を施すか否かの設定を行うための第１タブ印刷設定部１１３を含み、節設定部１２０は、「節」の変わり目に挿入されるタブ紙（以下、節用タブ紙ともいう）におけるタブに印刷を施すか否かの設定を行うための第２タブ印刷設定部１２３を含んでいる。ここでは、選択肢として「Ｐｒｉｎｔ」と「Ｂｌａｎｋ」との２つがあり、「Ｐｒｉｎｔ」を選択することによりタブに印刷を施す設定となり、「Ｂｌａｎｋ」を選択することによりタブに印刷を施さない設定となる。なお、タブ紙のタブに印刷する情報は、図示しないタブ印刷情報設定部において別途指定される。
【００６１】
また、章設定部１１０は、章用タブ紙の給紙トレイをユーザが選択可能な第１給紙トレイ設定部１１４を含み、節設定部１２０は、節用タブ紙の給紙トレイをユーザが選択可能な第２紙給紙トレイ設定部１２４を含んでいる。第１給紙トレイ設定部１１４および第２給紙トレイ設定部１２４は、それぞれ給紙トレイの複数の選択肢を表示する。ここでは、「Ｔｒａｙ１」は給紙トレイ５１を示し、「Ｔｒａｙ２」は給紙トレイ５２を示している（図５参照）。
【００６２】
図７のフローチャートに戻って、ステップＳ１０３では、ユーザによる指定が受け付けられる。具体的には、まず、章分けプリント機能の指定が受け付けられる。すなわち、ユーザは、文章中の「章」における先頭ページを第１章分けプリント機能設定部１１１に入力し、文章中の「節」における先頭ページを第２章分けプリント機能設定部１２１に入力する。また、タブ紙の挿入指定が受け付けられる。すなわち、ユーザは、必要に応じて、章用タブ紙の種類を第１挿入設定部１１２において指定し、節用タブ紙の種類を第２挿入設定部１２２において指定する。ここで、ユーザは、「Ｏｆｆ」を指定することができる。また、上述した如く、タブ紙を挿入すべき位置として、第１章分けプリント機能設定部１１１及び第２章分けプリント機能設定部１２１により指定されたページ位置が受け付けられる。
【００６３】
また、タブ紙への印字に関する指定が受け付けられる。すなわち、ユーザは、章用タブ紙におけるタブに印刷を施すか否かを、第１タブ印刷設定部１１３において指定し、節用タブ紙におけるタブに印刷を施すか否かを、第２タブ印刷設定部１２３において指定する。また、タブ紙を給紙するのに使用される給紙トレイの指定が受け付けられる。すなわち、ユーザは、章用タブ紙の給紙トレイを第１給紙トレイ設定部１１４において指定し、節用タブ紙の給紙トレイを第２給紙トレイ設定部１２４において指定する。例えば図９に示すように第２挿入設定部１２２において「Ｏｆｆ」が指定されている場合には、第２タブ印刷設定部１２３および第２給紙トレイ設定部１２４はグレイアウト表示され（図９ではハッチング表示）、指定の受け付けが不可とされる。
【００６４】
さらに、設定画面１００とは異なる他の印刷設定画面において、例えば両面印刷の指定等のユーザによる他の指定が受け付けられる。
【００６５】
ステップＳ１０４では、印刷設定作業が終了したか否かが判断される。例えば、設定画面１００とは異なる他の印刷設定画面に表示が切り替えられて図示しない印刷開始の指示ボタンがクリックされた場合に、印刷設定作業が終了したと判断される。印刷設定作業が終了していない場合（Ｓ１０４：ＮＯ）、ステップＳ１０２に戻る。
【００６６】
印刷設定作業が終了した場合（Ｓ１０４：ＹＥＳ）、アプリケーションを使用して作成した文書ファイルが変換されることによってＰＤＬデータが作成される（Ｓ１０５）。
【００６７】
ここで、上記ステップＳ１０３において得られた設定情報は、ＰＤＬデータ内にコマンドデータとして記述される。
【００６８】
例えば、次のようなコマンドデータ（ＰＪＬ）が記述される。
ＰＥＲＰＡＧＥＳＥＴ＝ＴＲＡＹ１…，Ｃｈａｐｔｅｒ，…３ＴＡＢ，１，５，１０
ＰＥＲＰＡＧＥＳＥＴ＝ＴＲＡＹ２…，Ｓｅｃｔｉｏｎ，…５ＴＡＢ，３，４，１２，１５
このコマンドデータは、章用タブ紙の給紙元が「Ｔｒａｙ１」（図５の給紙トレイ５１）、章用タブ紙の種類が３タブ、「章」の先頭ページが１、５、１０ページであることを示し、節用タブ紙の給紙元が「Ｔｒａｙ２」（図５の給紙トレイ５２）、節用タブ紙の種類が５タブ、「節」の先頭ページが３，４，１２，１５ページであることを示す。
【００６９】
また、他の例として、次のようなコマンドデータ（ＰＪＬ）が記述される。
ＰＥＲＰＡＧＥＳＥＴ＝ＴＲＡＹ１…，Ｃｈａｐｔｅｒ，…３ＴＡＢ，１，５，１０
ＰＥＲＰＡＧＥＳＥＴ＝…Ｓｅｃｔｉｏｎ，…，３，４，１２，１５
このコマンドデータは、章用タブ紙の給紙元が「Ｔｒａｙ１」（図５の給紙トレイ５１）、章用タブ紙の種類が３タブ、「章」の先頭ページが１、５、１０ページであることを示し、節用タブ紙の挿入指定は無く、「節」の先頭ページが３，４，１２，１５ページであることを示す。なお、他の設定情報についてもＰＤＬデータ内にコマンドデータとして記述される。
【００７０】
続いて、ステップＳ１０６では、作成されたＰＤＬデータが、ネットワーク５を経由して、印刷システム４のプリンタコントローラ２に送信される。
【００７１】
次に、図１０および図１１を参照して、プリンタコントローラ２における処理について説明する。なお、図１０および図１１のフローチャートにより示されるアルゴリズムは、プリンタコントローラ２のハードディスク２４等の記憶部にプログラムとして記憶されており、ＣＰＵ２１によって実行される。
【００７２】
まず、プリンタコントローラ２は、ＰＣ１からＰＤＬデータを受信し（ステップＳ２０１）、ＰＤＬデータ内に記述されたコマンドデータが解析される（Ｓ２０２）。
【００７３】
続いて、コマンドデータの解析結果に基づいて、タブ紙の挿入指定の内容（有無を含む）が検出され（Ｓ２０３）、章分けプリント機能の設定の内容（有無を含む）が検出される（Ｓ２０４）。
【００７４】
そして、受信したＰＤＬデータに基づいて、プリンタ３で印刷するためのビットマップデータに各種の設定情報を含むヘッダ情報が付加された印刷データの作成処理が行われる（Ｓ２０５）。かかる印刷データの作成処理の詳細は後述する。
【００７５】
続いて、作成された印刷データが印刷ジョブとしてプリンタ３に送信される（Ｓ２０６）。
【００７６】
図１１に示すように、印刷データの作成処理では、まず、受信したＰＤＬデータの最初のページに対してラスタライズ処理が施されて、ビットマップ形式の画像データであるビットマップデータが得られる（Ｓ３０１）。
【００７７】
続いて、処理対象ページが、章分けプリント機能が設定されているページ、すなわち「章」または「節」における先頭ページであるか否かが判断される（Ｓ３０２）。
【００７８】
処理対象ページが、章分けプリント機能が設定されているページでない場合（Ｓ３０２：ＮＯ）、ステップＳ３０６に進む。
【００７９】
一方、処理対象ページが、章分けプリント機能が設定されているページである場合（Ｓ３０２：ＹＥＳ）、処理対象ページに対してタブ紙の挿入指定が行われているか否かが判断される（Ｓ３０３）。
【００８０】
処理対象ページに対してタブ紙の挿入指定が行われていない場合（Ｓ３０３：ＮＯ）、ステップＳ３０５に進む。
【００８１】
一方、処理対象ページに対してタブ紙の挿入指定が行われている場合（Ｓ３０３：ＹＥＳ）、タブ紙ページの追加が行われて（Ｓ３０４）、ステップＳ３０５に進む。タブ紙ページは、通常の印刷対象となる文書のページとは別に追加される。
【００８２】
ステップＳ３０５では、章分けプリント機能が設定されているページの情報が登録される。すなわち、章分けプリント機能が設定されているページの情報は、設定情報の一部として印刷データに付加される。
【００８３】
そして、ステップＳ３０６では、処理対象ページが最終ページであるか否かが判断される。最終ページに達していない場合（Ｓ３０６：ＮＯ）、ステップＳ３０１に戻る。一方、最終ページに達した場合（Ｓ３０６：ＹＥＳ）、図１０のフローチャートに戻る。
【００８４】
次に、図１２を参照して、プリンタ３における処理について説明する。なお、図１２のフローチャートにより示されるアルゴリズムは、プリンタ３のＲＯＭ３２等の記憶部にプログラムとして記憶されており、ＣＰＵ３１によって実行される。
【００８５】
なお、ここでは、印刷データに対して両面印刷の指定および章分けプリント機能の設定が行われている場合について説明する。
【００８６】
まず、プリンタ３は、プリンタコントローラ２から印刷データを印刷ジョブとして受信する（Ｓ４０１）。
【００８７】
続いて、受信した印刷データの最初のページが、章分けプリント機能が設定されているページ、すなわち「章」または「節」における先頭ページであるか否かが判断される（Ｓ４０２）。処理対象ページが、章分けプリント機能が設定されているページでない場合（Ｓ４０２：ＮＯ）、ステップＳ４０５に進む。
【００８８】
一方、処理対象ページが、章分けプリント機能が設定されているページである場合（Ｓ４０２：ＹＥＳ）、処理対象ページが偶数ページであるか否かが判断される（Ｓ４０３）。処理対象ページが偶数ページでない場合（Ｓ４０３：ＮＯ）、ステップＳ４０５に進む。
【００８９】
一方、処理対象ページが偶数ページである場合（Ｓ４０３：ＹＥＳ）、ブランクページの追加が行われ（Ｓ４０４）、ステップＳ４０５に進む。ブランクページは、印刷すべき画像データを持たないページであり、処理対象ページの直前に追加される。これにより、処理対象ページである「章」または「節」における先頭ページは、奇数ページとなって用紙の表面に印字されることになる。
【００９０】
ステップＳ４０５では、処理対象ページに関して、指定された通りに給紙および／または印刷が実行される。ここで、処理対象ページがタブ紙ページである場合には、指定された給紙トレイからタブ紙が供給される。
【００９１】
そして、ステップＳ４０６では、処理対象ページが最終ページであるか否かが判断される。最終ページに達していない場合（Ｓ４０６：ＮＯ）、ステップＳ４０２に戻る。一方、最終ページに達した場合（Ｓ４０６：ＹＥＳ）、処理を終了する。
【００９２】
上述のように、本実施形態では、両面印刷時に文章中の「章」「節」等の一区切りにおける先頭ページを表面に印字する章分けプリント機能を設定するために文章中の一区切りにおける先頭ページをユーザが指定可能な章分けプリント機能設定部１１１，１２１と、章分けプリント機能設定部１１１，１２１において指定されたページに対してタブ紙の挿入をユーザが指定可能な挿入設定部１１２，１２２とがユーザに提供される。
【００９３】
したがって、ユーザは、文章中の「章」「節」等の一区切りにおける先頭ページの指定と、必要に応じてそのページへタブ紙を挿入する指定とを連動させて行うことができる。これにより、両面印刷時における章分けプリント機能の設定とタブ紙の挿入設定とを、ユーザの作業性を高めつつしかも誤り無く行うことが可能となる。
【００９４】
本発明は、上記した実施形態のみに限定されるものではなく、特許請求の範囲内において、種々改変することができる。
【００９５】
例えば、上記実施形態では、上記実施形態では、文章中の一区切りの例として「章」および「節」の２つを挙げて説明したが、本発明はこれに限定されるものではない。文章中の一区切りは、例えば「章」の１つだけであってもよく、あるいは例えば「部」「章」および「節」等の３つ以上であってもよい。
【００９６】
また、上記実施形態では、章分けプリント機能およびタブ紙挿入機能に関する設定についての処理がプリンタドライバによって行われる場合について説明したが、プリンタドライバではなくアプリケーションによって行われることもできる。
【００９７】
また、上記実施形態では、章分けプリント機能およびタブ紙挿入機能に関する設定が、ＰＣ１のディスプレイ１５上に表示される設定画面１００を用いて行われる場合について説明したが、プリンタ３の操作パネル部３４上に表示される設定画面を用いて行われることもできる。
【００９８】
また、上記実施形態では、印刷システム４がプリンタコントローラ２とプリンタ３に分けられ、互いにローカル接続された構成の場合について述べたが、プリンタコントローラ２はプリンタ３の中に内包されていてもよい。
【００９９】
また、上記実施形態では、画像形成装置としてプリンタが採用されているが、本発明はこれに限定されるものではない。本発明は、例えばＭＦＰ（Ｍｕｌｔｉ−Ｆｕｎｃｔｉｏｎ  Ｐｅｒｉｐｈｅｒａｌ）、複写機等の画像形成装置にも適用可能である。
【０１００】
本実施形態のネットワークシステムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【０１０１】
【図１】本発明の一実施形態にかかるネットワークシステムの全体構成を示すブロック図である。
【図２】図１に示されるＰＣの構成を示すブロック図である。
【図３】図１に示される印刷システムのプリンタコントローラの構成を示すブロック図である。
【図４】図１に示される印刷システムのプリンタの構成を示すブロック図である。
【図５】印刷部の構成を模式的に示す図である。
【図６】本実施形態で使用されるタブ紙の例を示す図である。
【図７】ＰＣにおける処理の手順を示すフローチャートである。
【図８】設定画面の一例を示す図である。
【図９】設定画面の一例を示す図である。
【図１０】プリンタコントローラにおける処理の手順を示すフローチャートである。
【図１１】印刷データの作成処理の手順を示すフローチャートである。
【図１２】プリンタにおける処理の手順を示すフローチャートである。
【符号の説明】
【０１０２】
１    ＰＣ、
２    プリンタコントローラ、
３    プリンタ、
４    印刷システム、
５    ネットワーク、
１１，２１，３１    ＣＰＵ、
１２，２２，３２    ＲＯＭ、
１３，２３，３３    ＲＡＭ、
１４，２４    ハードディスク、
１５    ディスプレイ、
１６    入力装置、
１７，２６    ネットワークインタフェース、
１８，２７，３７    バス、
２５    プリンタインターフェース、
３４    操作パネル部、
３５    印刷部、
３６    コントローラインターフェース、
４０    画像形成ユニット、
５０    給紙ユニット、
５１〜５４    給紙トレイ、
６０    排紙ユニット、
６１〜６４    排紙トレイ、
１００    設定画面、
１１０    章設定部、
１１１    第１章分けプリント機能設定部、
１１２    第１挿入設定部、
１２０    節設定部、
１２１    第２章分けプリント機能設定部、
１２２    第２挿入設定部、
５００，６００    タブ紙、
５１１〜５１３，６１１〜６１５    タブ紙（構成要素）、
５２１〜５２３，６２１〜６２５    タブ。
【図１】
2008186184.tif 000003
【図２】
2008186184.tif 000004
【図３】
2008186184.tif 000005
【図４】
2008186184.tif 000006
【図５】
2008186184.tif 000007
【図６】
2008186184.tif 000008
【図７】
2008186184.tif 000009
【図８】
2008186184.tif 000010
【図９】
2008186184.tif 000011
【図１０】
2008186184.tif 000012
【図１１】
2008186184.tif 000013
【図１２】
2008186184.tif 000014